(57)【要約】【課題】    花束を陳列するのに外部から花の視認が容易な、専用の生花陳列用容器を提供する。【解決手段】    本願考案に係る生花陳列用容器１は、墓花などの切花の複数の束を収容して店頭に陳列するものであり、底面部２と、夫々底面部の縁から上方へ一体に延設された、正面部３と、背面部４と、側面部とを備え、上方が開口し、正面部３の上端は、側面部及び背面部４の上端よりも下方に後退することにより、少なくとも正面側の花束の視認を容易とする、後退部７を備える。【選択図】          図１
0003131415.tif 000002
【実用新案登録請求の範囲】
【請求項１】
底面部と、夫々底面部の縁から上方へ一体に延設された、正面部と、背面部と、側面部とを備え、墓花などの切花の花束を複数収容して店頭に陳列する、上方が開口した、生花陳列用容器において、
正面部の上端は、側面部の上端よりも下方に後退することにより、少なくとも正面側の花束の視認を容易とする、後退部を備えたことを特徴とする生花陳列用容器。
【請求項２】
仏花や墓花といった花束を収容するものであり、
背面部の上端と、側面部の上端とは、底面部から同じ高さに位置し、
底面部から側面部の上端までの高さは、２０〜４０ｃｍであり、
底面部から後退部までの高さは、上記底面部から側面部の上端までの高さの、１／３〜３／４であり、
容器内の左右の最大幅は、４０〜１２０ｃｍであり、
後退部の左右の幅は、容器内部の左右の最大幅の２／３乃至当該容器内部の左右の最大幅と同じものであることを特徴とする請求項１記載の生花陳列用容器。
【請求項３】
容器は、プラスチックの成型品であり、
上記側面部は、正面部の左端と背面部の左端との間に配された左側面部と、正面部の右端と背面部の右端との間に配された右側面部とを備えたものであり、
左右両側面部の上端は、底面部から同じ高さに位置し、
正面部の上端は、後退部の左右に、左右両側面部の夫々へ連設されると共に左右の側面部の上端と同じ高さに位置する非後退部を備え
左右両非後退部の夫々の左右の幅は、後退部の左右の幅の１／１０〜１／５であり、
左右側面部の基端間の間隔に対して、左右側面部の上端間の間隔が、１〜１５ｃｍ大きくなるように、左右側面部が傾斜し、正面部と背面部の基端間の間隔に対して、正面部の非後退部と背面部の上端間の間隔が、１〜１５ｃｍ大きくなるように、正面部と背面部とが傾斜し、
正面部の上端は、後退部と左非後退部との間に配された左傾斜部と、後退部と右非後退部との間に配された右傾斜部とを備え、
左傾斜部は、左非後退部側から右方に向けて漸次下方に後退する傾斜辺として形成され、
右傾斜部は、右非後退部側から左方に向けて漸次下方に後退する傾斜辺として形成され、
各傾斜部と後退部との挟角は、９３〜１３０度であり、
正面部の後退部、左右両傾斜部、非後退部、背面部及び左右両側面部の夫々の上端には、容器の外側に折り返された折り返し部分が、連続して形成されたものであることを特徴とする請求項２記載の生花陳列用容器。
【請求項４】
左側面部、右側面部、背面部の何れかにも、後退部が設けられたことを特徴とする請求項３記載の生花陳列用容器。
【考案の詳細な説明】
【技術分野】
【０００１】
本願の考案は、生花陳列用容器の改良に関する。
【背景技術】
【０００２】
【特許文献１】特開平１０−２８６０３１号公報（図１４）
【０００３】
墓花などの花束を、生花店の店頭で販売するに際して、花束を陳列するのに、取扱いの手軽さから、特許文献１（図１４）へ示すプランターに水を張って、代用することが、よく行われる。
プランター１は、図４へ示す通り、底面部２と、夫々底面部の縁から上方へ一体に延設された、正面部３と、背面部４と、左右側面部５，６とを備え、上方が開口する植栽用の容器である。
墓花を例に採れば、通常、生花店の店頭で、図４へ示すように、３５〜４０ｃｍの花束を、深さが２０ｃｍ前後のプランター１に水を張って、立てた状態にして複数収容している。また、花束の種類毎にプランターを用意し、同種の花束は一つのプランターに纏めて収容するのが一般的である。
【０００４】
しかし、需要者が最も気になる花束の中心部、即ち、花の部分は、通常花束の基端（切り口）から先端について花束のほぼ中央に位置し、このため、収容した際、プランター１の上記正面部３に隠れて見え難くく、どのような種類の花が束ねられているのか知るために、需要者は、一々花束をプランター１の外に取り出して確認する必要があった。このような確認のために、その都度、プランター１から引き抜かれ、また、確認後プランター１内へ押し戻されることによって、花束は傷むのが速くなる。
【考案の開示】
【考案が解決しようとする課題】
【０００５】
本願考案は、花束を陳列するのに、外部から花束の視認が容易な、専用の生花陳列用容器を提供して、上記の課題の解決を図る。
【課題を解決するための手段】
【０００６】
本願第１の考案は、底面部２と、夫々底面部の縁から上方へ一体に延設された、正面部３と、背面部４と、側面部とを備え、上方が開口した、墓花などの切花の花束を複数収容して店頭に陳列する、生花陳列用容器１において、次の構成を採るものを提供する。
即ち、正面部３の上端は、側面部の上端よりも下方に後退することにより、少なくとも正面側の花束の視認を容易とする、後退部７を備える。
上記の花束とは、花びらやつぼみを備えた植物を束ねたものに限定するものではなく、花びらやつぼみ備えない植物を束ねたものや、葉だけの植物を束ねたものを含む。
【０００７】
本願第２の考案では、上記本願第１の考案にあって、次の構成を採る生花陳列用容器１を提供する。
即ち、この容器は、仏花や墓花といった花束を収容するものである。背面部４の上端と、側面部の上端とは、同じ高さに位置する。底面部２から側面部の上端までの高さは、２０〜４０ｃｍである。底面部２から後退部７までの高さは、上記底面部２から側面部の上端までの高さの、１／３〜３／４である。容器内の左右の最大幅は、４０〜１２０ｃｍである。後退部７の左右の幅は、容器内部の左右の幅の２／３乃至当該容器内部の左右の最大幅と同じものである。
【０００８】
本願第３の考案では、上記本願第２の考案にあって、次の構成を採る採る生花陳列用容器１を提供する。
即ち、容器１は、プラスチックの成型品である。上記側面部は、正面部３の左端と背面部４の左端との間に配された左側面部５と、正面部３の右端と背面部４の右端との間に配された右側面部６とを備えたものである。左右両側面部５，６の上端は、同じ高さに位置する。正面部３の上端は、後退部４の左右に、左右両側面部５，６の夫々へ連設されると共に左右の側面部５，６の上端と同じ高さに位置する非後退部８，９を備える。左右両非後退部８，９の夫々の左右の幅は、後退部７の左右の幅の１／１０〜１／５である。左右側面部５，６の基端間の間隔に対して、左右側面部５，６の上端間の間隔が、１〜１５ｃｍ大きくなるように、左右側面部５，６が傾斜し、正面部３と背面部４の基端間の間隔に対して、正面部３の非後退部と背面部４の上端間の間隔が、１〜１５ｃｍ大きくなるように、正面部３と背面部４とが傾斜する。正面部３の上端は、後退部４と左非後退部８との間に配された左傾斜部１０と、後退部７と右非後退部９との間に配された右傾斜部１１とを備える。左傾斜部１０は、左非後退部側８から右方に向けて漸次下方に後退する傾斜辺として形成されている。右傾斜部１１は、右非後退部側９から左方に向けて漸次下方に後退する傾斜辺として形成されている。各傾斜部８，９と後退部７との挟角θは、９３〜１３０度である。正面部３の後退部７、左右両傾斜部１０，１１、非後退部８，９、背面部４及び左右両側面部５，６夫々の上端には、容器の外側に折り返された折り返し部分が、連続して形成されている。
【０００９】
本願第４の考案では、上記本願第３の考案にあって、左側面部、右側面部、背面部の何れかにも、後退部が設けられた生花陳列用容器を提供する。
【考案の効果】
【００１０】
本願第１〜４の考案は、正面部について、下方に後退する後退部を備えることにより、容器中に収容された花束の花や蕾（榊の場合は葉）を、容器に収容したまま、容器の外部から視認することが容易である。
従って、花束が備える花を確認するのに、容器から花束を取り出す必要がなく、花束の傷みを抑制することができ、花束を長持ちさせることができる。
【００１１】
本願第２及び第３の考案では、仏花や墓花といった花束に適した、具体的な手段を提供した。特に、本願第３の考案では、正面部の上端全域を後退部として形成するのではなく、後退部の左右に、左右側面部に連接された非後退部を形成することによって、正面部の上端全体を、左右側面部上端より後退させた場合に比して、容器の強度（力がかかった際の変形し難さ）を高めた。また、上記の後退部を形成しつつも、未使用時、複数の容器を重ねておくことができ嵩張らず、省スペースに功を奏する。また、本願第３の考案では、折り返し部の形成により、容器が掴みやすく、また、容器の強度も向上した。
【００１２】
更に、本願第４の考案では、正面以外の方向からでも、容器内の花や蕾を容易に視認することができる。
【考案を実施するための最良の形態】
【００１３】
以下、図面に基づき本願考案の実施の形態について説明する。
図１〜図３を用いて、本願考案の一実施の形態を説明する。図１（Ａ）は本願考案の一実施の形態に係る容器の斜視図であり、図１（Ｂ）は図１（Ａ）に示す容器の正面図である。図２（Ａ）は図１（Ｂ）のＡ−Ａ断面図であり、図２（Ｂ）は当該容器の使用状態を示す斜視図である。図３（Ａ）は上記の容器の使用状態を示す断面図であり、図３（Ｂ）は上記の容器を複数重ねた状態を示す斜視図である。
各図において、Ｕは上方を、Ｓは下方を、Ｌは左方を、Ｒは右方を、Ｆは前方を、Ｂは後方を、夫々示している。
【００１４】
この生花陳列用容器１（以下単に容器１と呼ぶ。）は、切花の複数の束を収容して店頭に陳列するものであり、特に、仏花や墓花といった花束Ｈ…Ｈを収容するのに適したものである。
図１（Ａ）（Ｂ）へ示す通り、この容器１は、底面部２と、夫々底面部の縁から上方へ一体に延設された正面部３と、背面部４と、左側面部５と、右側面部６とを備え、上方が開口した容器であり、プラスチック成型品である。
【００１５】
図２（Ａ）へ示す通り、容器１は、背面部４の上端と、左側面部５の上端と、右側面部６の上端とは、底面部２から何れも同じ高さＴ１にある（上記の各部４〜６の上端は、何れも上下方向について、同じ位置にある）。
図１、図２及び図３（Ａ）へ示す通り、正面部３の上端は、左右両側面部５，６及び背面部４の上端よりも下方に後退する後退部７を備える。
後退部７は、側面部５，６の上端の上記高さＴ１の１／３〜３／４の、底面部２からの高さＴ２を備える（図２（Ａ））。言い換えると、後退部７は、側面部５，６の高さＴ１の１／４〜２／３、（鉛直方向について）下方に後退する（低い位置にある）。
【００１６】
以下、より具体的に説明する。
花束について、墓花や仏花は、３０〜４５ｃｍの高さを有するのが一般的である。仏花を例に採ると、束の高さ（上下幅）は、３０〜３８ｃｍが一般的である。
このような墓花や仏花を収容するのに適した容器１として、背面部４の上端と、左側面部５の上端と、右側面部６の上端とが、夫々、底面部３から１５〜５０ｃｍの高さＴ１（図２（Ａ））を備えるものが適する。
従って、この高さＴ１を１５ｃｍとすると、後退部７の高さＴ２を５ｃｍ〜１１ｃｍとするのが望ましく、また、高さＴ１を５０ｃｍとすると、高さＴ２を１７ｃｍ〜３８ｃｍとするのが望ましい。
特に、仏花を収容する場合、上記高さＴ１は、２０〜４０ｃｍとするのが好ましい。この場合、高さＴ１を２０ｃｍとすると高さＴ２を７〜１５ｃｍとするのが望ましく、高さＴ１を４０ｃｍとすると高さＴ２を１３〜３０ｃｍとするのが望ましい。
このように後退部７の下限を設定することによって、花束が、容器１正面側から前方へ脱落するのを防止でき、また、容器１内に切花に必要な水を収容することができる。
尚、このような寸法は、他の数値に変更できる。
【００１７】
また、容器１内の左右の最大幅（図１（Ｂ）のＷ１）は、３０〜１８０ｃｍであり、特に４０〜１２０ｃｍとするのが好ましい。
後退部７の左右の幅Ｗ２は、容器１内部の左右の最大幅Ｗ１の２／３乃至容器内部の左右の幅Ｗ１と同じものとするのが適する。
例えば、容器の上記幅Ｗ１を４０ｃｍとすると、後退部７の左右の幅を、２７〜４０ｃｍとするのが好ましく、容器の上記の幅Ｗ１を１２０ｃｍとすると、後退部７の左右の幅Ｗ２を、８０〜１２０ｃｍとするのが好ましい。
但し、このような数値は、変更できる。収容する花束の種類が確認できれば、幅Ｗ２をもっと狭く設定してもよい。
【００１８】
上記の正面部３の上端は、後退部４の左右に、左右両側面部５，６の夫々に連設されると共に左右の側面部５，６の上端と同じ高さに位置する非後退部８，９を備える。
左右両非後退部８，９の夫々の左右の幅は、後退部７の左右の幅の１／１０〜１／５とするのが望ましい。
【００１９】
また、図１（Ｂ）及び図２（Ａ）へ示す通り、正面部３、背面部４及び左右両側面部５，６の夫々は、正面部３と背面部４との間隔、及び、左右両側面部５，６間の間隔を、下方より上方に向かうに連れて漸次広げる、傾斜面として形成されている。
左右側面部５，６の基端間の間隔（底面部２の左右幅）に対して、左右側面部５，６の上端間の間隔（最大左右幅Ｗ１）が、１〜１５ｃｍ大きくなるように、左右側面部５，６を傾斜させるのが望ましい。
同様に、正面部３と背面部４の基端間の間隔（底面部２の前後幅）に対して、正面部３の非後退部と背面部４の上端間の間隔が、１〜１５ｃｍ大きくなるように、正面部３と背面部４とを傾斜させるのが望ましい。
上記の正面部３の上端は、図１（Ｂ）へ示す通り、後退部４と左非後退部８との間に配された左傾斜部１０と、後退部７と右非後退部９との間に配された右傾斜部１１とを備える。左傾斜部１０は、左非後退部側８から右方に向けて漸次下方に後退する傾斜辺として形成されている。右傾斜部１１は、右非後退部側９から左方に向けて漸次下方に後退する傾斜辺として形成されている。
各傾斜部８，９と後退部７との挟角θ（図１（Ｂ））を、９３〜１３０度とするのが望ましい。
このように、正面部３、背面部４及び左右両側面部５，６を上方に向けて広がる傾斜面として形成し、左右両傾斜部１０，１１を設けることによって、図３（Ｂ）へ示す通り、使用しないとき、複数の容器１…１を上下に重ねておくことができ、嵩張らず便利である。
【００２０】
例えば、容器１内において、上記の容器の高さＴ１を２０ｃｍとし、底面部２の左右幅を５５ｃｍとし、底面部２の前後幅を３０ｃｍとし、上記の最大左右幅Ｗ１即ち容器１上端における左右幅を５９ｃｍとし、底面部２の前後幅を３０ｃｍとした場合において、後退部７の上記高さＴ２を、１３ｃｍとし、この後退部７の左右の幅を４２ｃｍとし、左傾斜部１０の左端と右傾斜部１１の右端間の間隔を５０ｃｍとするのが好ましい（この場合非後退部８，９の左右幅は夫々４．５ｃｍである）。
これらの数値は、例示であり、必要に応じて他の寸法に変更できる。
【００２１】
更に、上記両非後退部８，９と、背面部４及び左右両側面部５，６夫々の上端には、容器の外側に折り返された折り返し部分１２が連続して形成されている。この折り返し部１２は、非後退部８，９、背面部４及び左右両側面部５，６夫々の上端を丸めて、容器を掴みやすく取り扱い易いものとしている。また、容器の強度を向上させる。
【００２２】
この実施の形態において、底面部２は、滑り止め１３を備える。
具体的には、滑り止め１３は、表面に起伏を備えた板状体であり、当該滑り止め１３は、底面部２の、正面部３や背面部４、両側面部５，６と一体に形成された部分と別体に形成され、当該一体に形成された部分の上に置かれる。
このような滑り止め１３を設けることによって、容器１内にて滑り止め１３の上に載せられた花束Ｈ…Ｈが滑りにくく、容器１内に花束が少なくなっても、花束は倒れ難い。
但し不要であれば、このような滑り止め１３に設けずに実施することができる。
また、別途の滑り止め１３を設けるのではなく、上記底面部２の、正面部３や背面部４、両側面部５，６と一体に形成された部分の表面に直接起伏を設けたり、表面の摩擦抵抗が大きい素材にて、容器１を形成することによっても、上記滑り止め１３と同等の効果を得ることができる。
【００２３】
また、上記の実施の形態において、後退部７は、正面部３の上端の一箇所に設けるものとしたが、容器１について、左右の幅を大きなものとした場合、例えば、花束を１０束以上も左右に並べることができる横幅を有するものであれば、夫々間隔を開けて、正面部３の上端の複数箇所に設けて実施することもできる。
上記の実施の形態において、正面部３の上端にのみ、後退部７を形成するものとしたが、背面部７の上端や側面部５，６の上端に形成することも可能である。但し、各後退部７間には、非後退部を設けておく。
尚、背面部４は、主として、花束の背凭れとして花束を支持するものであるので、図１〜図３へ示す実施の形態のように、背面部４に後退部を形成せずに実施するのが好ましい。また、容器１の強度を確保するために、側面部５，６にも後退部を形成せずに実施するのが好ましい。
【００２４】
上記の実施の形態では、容器１は、平面視において、矩形状の輪郭を備えるものとしたが、他の多角形状に形成するものとしても実施できる。
また、上記において、正面部３、背面部４、左右側面部５，６は、夫々平らなものとしたが、これらを曲線的なものとして形成することもでき、正面部３、背面部４、左右側面部５，６の境界を曖昧なものとして形成することもできる。具体的には、上記において、平面視矩形状に容器１を形成したものを示したが、平面視楕円形や円形状に、容器１を形成して実施することもできる。
【００２５】
この実施の形態において、容器１は、プラスチック製としたが、ポリエチレンやビニールなどプランターに採用される一般的なプラスチック素材の他、発泡スチロールにて形成しても良い。また、容器１を、木や陶器、金属にて形成することもできる。但し、取扱いの便を考慮すれば、軽量で壊れ難い、上記のプラスチック（発泡スチロールを含む。）にて形成するのが好ましい。
また、図３（Ｂ）へ示すように積み重ねる必要がないのであれば、正面部３、背面部４、左右両側面部５，６を、傾斜面として形成する必要はなく、例えば、底面部２に対して垂直に立ち上がるものとしても実施でき、更に、上記の傾斜部１０，１１を形成せずに、後退部７と非後退部８，９との間を鉛直な段差部として形成することもできる。
発泡スチロールなどにて形成する場合、軽量であるので、厚みを大きくすれば実用的な強度を確保できるので、例えば１ｃｍ程度の厚みを備えるものとすれば、上記の折り返し部分を形成せずに実施することもできる。
【図面の簡単な説明】
【００２６】
【図１】（Ａ）は本願考案の一実施の形態に係る容器の斜視図であり、（Ｂ）は（Ａ）に示す容器の正面図である。
【図２】（Ａ）は図１（Ｂ）のＡ−Ａ断面図であり、（Ｂ）は当該容器の使用状態を示す斜視図である。
【図３】（Ａ）は上記の容器の使用状態を示す断面図であり、（Ｂ）は上記の容器を複数重ねた状態を示す斜視図である。
【図４】従来、陳列用容器として代用していた周知のプランターの使用（代用）状態を示す斜視図である。
【符号の説明】
【００２７】
１    容器
２    底面部
３    正面部
４    背面部
５    左側面部
６    右側面部
７    後退部
８    左非後退部
９    右非後退部
１０    左傾斜部
１１    右傾斜部
【図１】
0003131415.tif 000003
【図２】
0003131415.tif 000004
【図３】
0003131415.tif 000005
【図４】
0003131415.tif 000006